(57)【要約】【課題】端末網制御装置に着信させることなく、誤接続を検知することで、設置作業を短縮することを目的とする。【解決手段】電話回線接続インターフェース１０２と、電話機接続インターフェース１０３を備えたマイコンメータの遠隔検針に利用される端末側網制御装置１０１であって、電話機１０９を接続するするインターフェース１０３は、電話回線１０８とラッチングリレー１０４を介して物理的に接続されており、ラッチングリレー１０４を切り替えることで、電話回線１０８と電話機１０９との接続を切り離す機能を備えており、さらに端末側網制御装置１０１は、電話機１０９との接続インターフェースの接続を切り離した状態で電話回線１０８との接続インターフェース１０２側の回線電圧を調べることにより、電話回線１０８と電話機１０９が反対に接続された場合の誤接続を検知する機能を有する。【選択図】図１
2012129918.tif 000002
【特許請求の範囲】
【請求項１】
電話回線を接続するインターフェースと、電話機を接続するインターフェースを備えた端末側網制御装置であって、前記電話機を接続するインターフェースは、前記電話回線とリレーまたはスイッチを介して物理的に接続されており、前記リレーまたはスイッチを切り替えることで、前記電話回線と前記電話機との接続を切り離す機能を備えた端末側網制御装置であり、さらに前記端末側網制御装置は、前記電話機との接続インターフェースの接続を切り離した状態で前記電話回線との接続インターフェース側または電話機側の回線電圧を調べることにより、前記電話回線と前記電話機が反対に接続された場合の誤接続を検知する機能を有することを特徴とする端末側網制御装置。
【請求項２】
前記端末側網制御装置は、前記電話回線の回線電圧を検知することで、自動的に前記リレーまたはスイッチを切り替え、前記電話回線と前記電話機との接続を自動で切り離して前記回線電圧を調べる機能を有することを特徴とする請求項１に記載の端末側網制御装置。
【請求項３】
前記端末側網制御装置は、前記電話回線と前記電話機との接続を切り離すためのリレーまたはスイッチを有し、前記リレーまたはスイッチは、接続の切り替えの際に切り替え音が鳴るものであり、前記電話回線と前記電話機とが誤接続となった場合、前記リレーまたはスイッチの接続状態を繰り返し切り替えることで連続的に切り替え音を鳴らし、連続的な切り替え音で誤接続を作業者に通知する機能を有することを特徴とする請求項１に記載の端末側網制御装置。
【発明の詳細な説明】
【技術分野】
【０００１】
本発明は、ガスメータ・水道メータ等の遠隔検針を行う網制御装置における、設置時の誤接続検知に関するものである。
【背景技術】
【０００２】
従来より、端末側網制御装置に着信させることで、電話回線と電話機の誤接続を判定する方法が知られている。
【０００３】
例えば、特許文献１には、着信時のリンギング信号を受けると、オフフック状態に作動し、内部のオフフック検知手段でオフフック状態を検出することで、誤接続を検出する端末側網制御装置が開示されている（図５の従来例参照）。
【先行技術文献】
【特許文献】
【０００４】
【特許文献１】特開２００２−１６４９６２号公報
【発明の概要】
【発明が解決しようとする課題】
【０００５】
特許文献１の手法においては、何らかの形で端末側網制御装置を着信させる必要があり、作業に手間を要してしまう。
【０００６】
本発明は、上記に鑑み、端末側網制御装置に着信させることなく、誤接続を検知することで、設置作業を短縮することを目的とする。
【課題を解決するための手段】
【０００７】
本発明の端末側網制御装置は、電話回線を接続するインターフェースと、電話機を接続するインターフェースを備えた端末側網制御装置であって、前記電話機を接続するインターフェースは、前記電話回線とリレーまたはスイッチを介して物理的に接続されており、前記リレーまたはスイッチを切り替えることで、前記電話回線と前記電話機との接続を切り離す機能を備えた端末側網制御装置であり、さらに前記端末側網制御装置は、前記電話機との接続インターフェースの接続を切り離した状態で前記電話回線との接続インターフェース側または電話機側の回線電圧を調べることにより、前記電話回線と前記電話機が反対に接続された場合の誤接続を検知する機能を有する端末側網制御装置である。
【０００８】
また、本発明の端末側網制御装置は、更に、前記端末側網制御装置が、前記電話回線の回線電圧を検知することで、自動的に前記リレーまたはスイッチを切り替え、前記電話回線と前記電話機との接続を自動で切り離して前記回線電圧を調べる機能を有する端末側網制御装置である。
【０００９】
また、本発明の端末側網制御装置は、更に、前記電話回線の回線電圧を検知することで、自動的に前記リレーまたはスイッチを切り替え、前記電話回線と前記電話機との接続を自動で切り離して前記回線電圧を調べる機能を有する端末側網制御装置である。
【発明の効果】
【００１０】
本発明によれば、電話回線を使用した通信を行うことなく、前記電話回線と電話機との誤接続を検知することが可能となる。本発明は、更に、特別な作業をすることなく前記電話回線を接続するだけで、前記電話回線と前記電話機との誤接続を検知することが可能となる。本発明は、更に、表示装置等の新たな部品を追加することなく従来からの構成で、前記電話回線と前記電話機との誤接続を検知することが可能となる。
【００１１】
以上のように、本発明は、着信処理などの特別な作業の実施や特別な装置を追加することなく、容易に電話回線と電話機との誤接続を検知することを提供することができる。
【図面の簡単な説明】
【００１２】
【図１】本発明の端末側網制御装置における第一の実施の形態を示すブロック図である。
【図２】本発明の端末側網制御装置における第一の実施の形態の動作を示すフロー図である。
【図３】本発明の端末側網制御装置における第二の実施の形態を示すブロック図である。
【図４】本発明の端末側網制御装置における第二の実施の形態の動作を示すフロー図である。
【図５】従来例の端末側網制御装置における誤接続検知の実施の形態を示すブロック図である。
【発明を実施するための形態】
【００１３】
以下、本発明の端末側網制御装置における実施の形態について、図面に基づいて詳細に説明する。以下の説明では、同一の部品には同一の符号を付してある。それらの名称および機能も同一である。したがって、それらについての詳細な説明は繰返さない。
【実施例１】
【００１４】
図１は、本発明の端末側網制御装置における第一の実施の形態を示すブロック図である。本発明の端末側網制御装置１０１は、電話回線用モジュラージャック１０２と電話機用モジュラージャック１０３とラッチングリレー１０４と回線電圧検知回路１０５とＣＰＵ１０６とで構成されており、電話回線用モジュラージャック１０２はセンタ側網制御装置１０７と公衆網１０８を介して接続されており、電話機用モジュラージャック１０３は電話機１０９と接続されている。
【００１５】
回線電圧検知回路１０５は、電話回線用モジュラージャック１０２が公衆網１０８と接続されることで回線電圧を検知し、ＣＰＵ１０６に通知する機能を備えている。ラッチングリレー１０４はＣＰＵ１０６からの命令により、公衆網１０８と電話機１０９の接続状態を切り替える機能を備えている。
【００１６】
図２は、本発明の端末側網制御装置における第一の実施の形態の動作を示すフロー図である。端末側網制御装置１０１は、公衆網１０８と電話機１０９が接続状態になるように、予めラッチングリレー１０４を切り替えておき（ステップ２０１）、回線電圧検知回路１０５で回線電圧の検知待ち状態になる。
【００１７】
電話回線用モジュラージャック１０２または電話機用モジュラージャック１０３に公衆網１０８が接続されると、回線電圧検知回路１０５が回線電圧を検知し（ステップ２０２）、ＣＰＵ１０６に通知する。
【００１８】
これを受け、ＣＰＵ１０６は、公衆網１０８と電話機用モジュラージャック１０３とを接続しているラッチングリレー１０４を切り替え、公衆網１０８と電話機用モジュラージャック１０３とを切断する（ステップ２０３）。
【００１９】
この状態で、再度、回線電圧検知回路１０５で回線電圧状態を検知し、回線電圧が検知できないようであれば誤接続状態と判断し（ステップ２０４：ＮＯ）、ラッチングリレー１０４の接続状態を繰り返し切り替えることで連続的に切り替え音を鳴らし、連続的な切り替え音で誤接続を作業者に通知する（ステップ２０５）。
【実施例２】
【００２０】
図３は、本発明の端末側網制御装置における第二の実施の形態を示すブロック図である。本発明の端末側網制御装置１０１は、電話回線用モジュラージャック１０２と電話機用モジュラージャック１０３とラッチングリレー１０４と回線電圧検知回路１０５とＣＰＵ１０６とで構成されており、電話回線用モジュラージャック１０２はセンタ側網制御装置１０７と公衆網１０８を介して接続されており、電話機用モジュラージャック１０３は電話機１０９と接続されている。
【００２１】
回線電圧検知回路１０５は、電話機用モジュラージャック１０３が公衆網１０８と接続されることで回線電圧を検知し、ＣＰＵ１０６に通知する機能を備えている。ラッチングリレー１０４はＣＰＵ１０６からの命令により、公衆網１０８と電話機１０９の接続状態を切り替える機能を備えている。
【００２２】
図４は、本発明の端末側網制御装置における第二の実施の形態の動作を示すフロー図である。端末側網制御装置１０１は、公衆網１０８と電話機１０９が接続状態になるように、予めラッチングリレー１０４を切り替えておき（ステップ４０１）、回線電圧検知回路１０５で回線電圧の検知待ち状態になる。
【００２３】
電話回線用モジュラージャック１０２または電話機用モジュラージャック１０３に公衆網１０８が接続されると、回線電圧検知回路１０５が回線電圧を検知し（ステップ４０２）、ＣＰＵ１０６に通知する。
【００２４】
これを受け、ＣＰＵ１０６は、公衆網１０８と電話機用モジュラージャック１０３とを接続しているラッチングリレー１０４を切り替え、公衆網１０８と電話回線用モジュラージャック１０２とを切断する（ステップ４０３）。
【００２５】
この状態で、再度、回線電圧検知回路１０５で回線電圧状態を検知し、回線電圧が検知できるようであれば誤接続状態と判断し（ステップ４０４：ＹＥＳ）、ラッチングリレー１０４の接続状態を繰り返し切り替えることで連続的に切り替え音を鳴らし、連続的な切り替え音で誤接続を作業者に通知する（ステップ４０５）。
【００２６】
以上説明したように、本発明によれば、着信処理などの特別な作業の実施や特別な装置の追加を行うことなく、電話回線と電話機との誤接続を検知することが可能となる。また、本発明の実施例では、ラッチングリレー１０４として説明したが、本発明は、ラッチングリレーに限定されることなく、リレーまたはスイッチを用いて構成することが可能である。
【符号の説明】
【００２７】
１０１  端末側網制御装置
１０２  電話回線用モジュラージャック
１０３  電話機用モジュラージャック
１０４  ラッチングリレー
１０５  回線電圧検知回路
１０６  ＣＰＵ
１０７  センタ側網制御装置
１０８  公衆網
１０９  電話機
１１０  オフフック検出部
１１１  リンギング検出部
【図１】
2012129918.tif 000003
【図２】
2012129918.tif 000004
【図３】
2012129918.tif 000005
【図４】
2012129918.tif 000006
【図５】
2012129918.tif 000007